(57)【要約】【課題】冷却水の供給を中止した状態で乾燥コースを実行する衣類処理装置を提供する。【解決手段】本発明は、衣類処理装置及び衣類処理装置の制御方法に関し、洗濯水が収容されるタブと、タブに回転可能に設けられるドラムと、タブに空気を供給する空気供給装置と、タブの内面に空気中に含まれた湿気が凝縮するように、タブの内面に冷却水を供給する冷却水供給部と、使用者の選択に応じて冷却水供給部による冷却水の供給を選択的に行う制御部とを備え、乾燥コースが選択されると、選択された乾燥コースを判別し、判別された乾燥コースに応じて凝縮水を生成するための冷却水を供給及び中止して乾燥コースを行う。【選択図】図１１
2015515879.tif 000002
【特許請求の範囲】
【請求項１】
乾燥コースの選択を受信するステップと、
前記受信された乾燥コースの選択に関連する動作パラメータを決定するステップと、
受信された乾燥コースの選択と関連する決定された動作パラメータに基づいて、凝縮水を生成するための冷却水を供給するか、または冷却水の供給を中止するステップと、
選択された乾燥コースを判別し、判別された乾燥コースに応じて凝縮水を生成するための冷却水を供給及び中止して乾燥コースを行う乾燥ステップと、を含むことを特徴とする、衣類処理装置の制御方法。
【請求項２】
前記乾燥コースの選択を受信するステップは、複数の乾燥コースの選択のうち１つを受信するステップを含み、前記複数の乾燥コースは、冷却水を供給し、前記乾燥コースを行う間に循環する空気と前記供給される冷却水とを混合して凝縮水を生成する第１乾燥コースと、冷却水が供給されない第２乾燥コースとを含む、請求項１に記載の衣類処理装置の制御方法。
【請求項３】
前記乾燥コースの選択を受信するステップが第２乾燥コースを受信するステップを含むと、前記選択された乾燥コースを行うステップは、前記第２乾燥コースと関連する乾燥時間が前記第１乾燥コースと関連する乾燥時間よりも長くなるように乾燥時間を増加させるステップを含む、請求項２に記載の衣類処理装置の制御方法。
【請求項４】
前記乾燥コースの選択を受信するステップが第１乾燥コースを受信するステップを含むと、前記選択された乾燥コースを行うステップは、前記選択された乾燥コースを行う間に前記衣類処理装置のタブの内周面に冷却水を供給するステップを含む、請求項２に記載の衣類処理装置の制御方法。
【請求項５】
前記冷却水をタブの内周面に供給するステップは、冷却水が前記タブの内部後面に向かうようにするステップを含む、請求項４に記載の衣類処理装置の制御方法。
【請求項６】
タブと、
前記タブ内に回転可能に設けられるドラムと、
前記タブに空気を供給する空気供給装置と、
前記タブの内面で前記空気供給装置によって循環する空気内に含まれた湿気が凝縮するように、前記タブの内面に冷却水を供給する冷却水供給装置と、
動作コースの選択を受信し、前記受信された動作コースの選択に基づいて選択的に冷却水を供給するように前記冷却水供給装置を制御する制御部と、を含む、衣類処理装置。
【請求項７】
動作コースの選択を提供する制御パネルをさらに含み、前記動作コースの選択は、冷却水を供給して乾燥を行う第１乾燥コース、及び冷却水を供給せずに乾燥を行う第２乾燥コースの選択を含む、請求項６に記載の衣類処理装置。
【請求項８】
前記空気供給装置は、前記タブの上部に位置し、前記タブの外周面上で前記タブから空気を回収し、前記タブの前方で前記タブに前記回収された空気を供給する、請求項６に記載の衣類処理装置。
【請求項９】
前記タブの後方内面が凝縮水を凝結する凝縮面を形成するように、前記タブの後方内面に冷却水を供給するように前記タブに結合された冷却水供給装置をさらに含む、請求項６に記載の衣類処理装置。
【請求項１０】
前記冷却水供給装置は、
冷却水を前記タブの後方内面に向かって噴射するように前記タブに固定された冷却水ノズルと、
冷却水を前記冷却水ノズルに供給する冷却水ラインと、を含む、請求項９に記載の衣類処理装置。
【請求項１１】
前記空気供給装置によって循環する空気からリントをフィルタリングするために、前記空気供給装置によって定義された空気循環経路に設けられるリントフィルタと、
前記リントフィルタと通信するように配置され、前記リントフィルタに洗浄水を供給して前記リントフィルタからリントを除去するフィルタ洗浄装置と、をさらに含む、請求項６に記載の衣類処理装置。
【請求項１２】
前記リントフィルタは、前記タブの外周面に形成された開口内に位置し、前記フィルタ洗浄装置は、前記リントフィルタの外側から前記リントフィルタに洗浄水を噴射して、前記洗浄水が前記リントフィルタを介して前記タブの内側に流れることで、前記リントフィルタを通じて前記リントフィルタの内側上に蓄積されたリントを除去する、請求項１１に記載の衣類処理装置。
【請求項１３】
前記制御部は、第１乾燥コースが行われることによって、前記冷却水供給装置が冷却水を前記タブの内面に供給するように前記冷却水供給装置の動作を制御する、請求項６に記載の衣類処理装置。
【請求項１４】
前記制御部は、第２乾燥コースが行われる間に前記冷却水供給装置が停止するように前記冷却水供給装置の動作を制御する、請求項１３に記載の衣類処理装置。
【請求項１５】
加熱された空気が循環しながら冷却水が供給されて凝縮を可能にする第１乾燥コース、及び加熱された空気が循環しながら冷却水が供給されない第２乾燥コースを含む複数の乾燥コースから乾燥コースの選択を受信するステップと、
前記選択された乾燥コースを行うステップと、を含む、衣類処理装置の制御方法。
【請求項１６】
前記乾燥コースの選択を受信するステップが第１乾燥コースの選択を受信するステップを含むと、前記選択された乾燥コースを行うステップは、
ファンを動作させて、前記衣類処理装置のタブの外及び加熱ダクトの内部に空気を排出するステップと、
前記加熱ダクトを通じて空気が流れることによって空気を加熱するステップと、
前記加熱ダクトから前記タブに加熱された空気を供給するステップと、
空気が前記タブから前記加熱ダクトを介して再び前記タブに循環することによって、冷却水を前記タブの内面に供給して前記タブの内面を冷却し、空気が循環することによって熱交換を通じて空気から湿気を除去するステップと、を含む、請求項１５に記載の衣類処理装置の制御方法。
【請求項１７】
前記乾燥コースの選択を受信するステップが第２乾燥コースの選択を受信するステップを含むと、前記選択された乾燥コースを行うステップは、
乾燥時間、乾燥温度または前記衣類処理装置のドラムの回転速度のうち少なくとも１つを調節して、前記第２乾燥コースと関連する前記乾燥時間、乾燥温度及び回転速度が、前記第１乾燥コースと関連する乾燥時間、乾燥温度及び回転速度よりも大きくするステップと、
ファンを動作させて、前記衣類処理装置のタブの外及び加熱ダクトに空気を排出するステップと、
前記加熱ダクトを通じて空気が流れることによって空気を加熱するステップと、
加熱された空気を前記加熱ダクトから前記タブに供給するステップと、を含む、請求項１５に記載の衣類処理装置の制御方法。
【請求項１８】
前記選択された乾燥コースを行う間にフィルタ洗浄動作を行うステップをさらに含み、
前記フィルタ洗浄動作を行うステップは、前記衣類処理装置のタブの外側に位置するフィルタ洗浄ノズルに洗浄水を供給するステップと、
前記フィルタ洗浄ノズルから前記タブの内壁の開口に位置するフィルタの外側に洗浄水を噴射して、フィルタを介して前記フィルタの内側上に蓄積されたリントを放出するステップと、
前記放出されたリント及び洗浄水を前記タブから排出するステップと、を含む、請求項１５に記載の衣類処理装置の制御方法。
【発明の詳細な説明】
【技術分野】
【０００１】
本発明は、衣類処理装置及び衣類処理装置の制御方法に係り、より詳細には、使用者のコース選択に応じて洗濯物の乾燥時に別途の冷却水の供給なしに乾燥コースを行うか、またはタブの内部面に別途の冷却水を供給して乾燥コースを行うようにした衣類処理装置及び衣類処理装置の制御方法に関する。
【背景技術】
【０００２】
衣類処理装置は、洗濯装置、乾燥兼用洗濯装置などを例に挙げることができる。ここで、洗濯装置は、乳化作用、パルセーターまたはドラムの回転による水流の摩擦作用及び洗濯物に加える衝撃作用などを用いて、洗濯物などに付着した各種汚染物質を除去する製品である。
【０００３】
全自動洗濯装置は、使用者の操作介入なしに洗いコース、すすぎコース、脱水コースなどにつながる一連のコースを自動に進行する。
【０００４】
乾燥兼用洗濯装置は、上述した洗濯装置の機能を行うと同時に、洗濯物を洗濯後に乾燥することができる洗濯機である。乾燥兼用洗濯装置は、タブの内部の空気を引き出して凝縮用水によって空気中の水分を除去した後、加熱させて、再びタブに投入する凝縮式洗濯乾燥機を例に挙げることができる。
【発明の概要】
【発明が解決しようとする課題】
【０００５】
本発明は、上述したような問題点を解決するために案出されたもので、洗濯物を乾燥させるための乾燥コースの実行時に使用者が冷却水の使用を望まない場合、冷却水の供給を中止した状態で乾燥コースを行うことができるようにした衣類処理装置及び衣類処理装置の制御方法に関する。
【０００６】
また、本発明は、上述したような問題点を解決するために案出されたもので、洗濯物を乾燥させた熱風の湿気を除去するための凝縮構造を改善して凝縮効率を向上させることができるようにした衣類処理装置を提供することにその目的がある。
【０００７】
また、本発明は、上述したような問題点を解決するために案出されたもので、空気に含まれたリントをフィルタリングするリントフィルタを備え、リントフィルタを掃除するためのフィルタ洗浄部を備える衣類処理装置を提供することにその目的がある。
【課題を解決するための手段】
【０００８】
上記の目的を達成するための本発明の一実施例に係る衣類処理装置は、洗濯水が収容されるタブと、前記タブに回転可能に設けられるドラムと、前記タブに空気を供給する空気供給装置と、前記タブの内面に空気中に含まれた湿気が凝縮するように、前記タブの内面に冷却水を供給する冷却水供給部と、使用者の選択に応じて前記冷却水供給部による冷却水の供給を選択的に行う制御部とを備えることが好ましい。
【０００９】
前記冷却水を供給して乾燥を行う乾燥コース、及び前記冷却水を利用せずに乾燥を行う乾燥コースを選択するためのコントロールパネルをさらに備えることが好ましい。
【００１０】
前記空気供給装置は、前記タブの上部に位置し、前記タブの外周面上で空気を回収し、前記タブの前方に空気を供給することが好ましい。
【００１１】
前記タブは、前記タブの後方内面が凝縮水が凝結する凝縮面を形成するように、前記タブの後方内面に冷却水を供給する冷却水供給部が備えられることが好ましい。
【００１２】
前記冷却水供給部は、前記冷却水が移動する経路を形成する冷却水ラインと、前記タブに固定され、前記冷却水を前記タブの後面に噴射する冷却水ノズルとを備えることが好ましい。
【００１３】
前記空気供給装置は、前記空気供給装置によって循環する空気に含まれたリントをフィルタリングするリントフィルタと、前記リントフィルタに洗浄水を供給して前記リントを除去するフィルタ洗浄部とを備えることが好ましい。
【００１４】
前記フィルタ洗浄部は、前記リントフィルタの外側から前記タブの内側に洗浄水を噴射することが好ましい。
【００１５】
前記制御部は、前記冷却水供給部の作動を中止し、乾燥コースを行うか、または前記冷却水供給部を作動させ、乾燥コースを行うことが好ましい。
【００１６】
上記の目的を達成するための本発明の一実施例に係る衣類処理装置の制御方法は、乾燥コースを選択する選択ステップと、選択された乾燥コースを判別し、判別された乾燥コースに応じて凝縮水を生成するための冷却水を供給及び中止して乾燥コースを行う乾燥ステップとを含むことが好ましい。
【００１７】
前記選択ステップは、前記冷却水を利用する乾燥コース、及び前記冷却水を利用しない乾燥コースを選択することが好ましい。
【００１８】
前記乾燥ステップは、前記冷却水を利用しない乾燥コースが選択された場合、前記冷却水を利用する乾燥コースよりも乾燥時間を長くして乾燥コースを行うことが好ましい。
【００１９】
前記乾燥ステップは、前記冷却水を利用する乾燥コースが選択された場合、タブの内周面または後面に冷却水を供給して乾燥コースを行うことが好ましい。
【発明の効果】
【００２０】
本発明に係る衣類処理装置及び衣類処理装置の制御方法によれば、乾燥コースの実行時に使用者の要求に応じて凝縮水の生成のための冷却水の使用を選択することができ、使用者が望まない冷却水の使用を制御できるので、不必要な冷却水の使用を未然に防止することができるという効果がある。
【００２１】
また、本発明に係る衣類処理装置及び衣類処理装置の制御方法によれば、洗濯物を乾燥させた熱風の湿気を除去するための凝縮構造を改善することによって、熱風に含まれた湿気を除去するための凝縮効率を向上させることができるという効果がある。
【００２２】
また、本発明に係る衣類処理装置及び衣類処理装置の制御方法によれば、空気に含まれたリントをフィルタリングするリントフィルタを備え、リントフィルタを掃除するフィルタ洗浄部を備えることによって、リントによる衣類処理装置の故障などを防止することができるという効果がある。
【図面の簡単な説明】
【００２３】
本発明に関する理解を助けるために含まれる添付の図面は、本発明の実施例を示し、詳細な説明と共に本発明の原理を説明する。
【図１】凝縮式乾燥兼用洗濯装置の一例を示す側断面図である。
【図２】本発明に係る衣類処理装置の分解斜視図である。
【図３】図２に示した衣類処理装置を示す断面図である。
【図４】図２乃至図３に示した衣類処理装置のサスペンション装置を示す斜視図である。
【図５】図２乃至図３に示した衣類処理装置のタブとサスペンション装置との結合状態を示す側面図である。
【図６】図２乃至図３に示した衣類処理装置の空気供給装置及びタブを示す斜視図である。
【図７】図２乃至図３に示した衣類処理装置の熱風回収口及びフィルタ洗浄部を示す部分断面図である。
【図８】図２乃至図３に示した衣類処理装置のタブの内部後面を示す簡略図である。
【図９】図８のＡ−Ａ’線に沿って切断した部分断面図である。
【図１０】図２乃至図３に示した衣類処理装置のコントロールパネルを示す簡略図である。
【図１１】図２乃至図１０に示した衣類処理装置に係る乾燥コースの進行を示すフローチャートである。
【発明を実施するための形態】
【００２４】
以下では、添付の図面を参照して様々な実施例を説明する。全図面にわたって同一参照番号が同一又は類似の部分を示すのに使用される。
【００２５】
図１は、乾燥機能を含む凝縮式乾燥兼用洗濯装置を示す簡略図である。図１に示すように、洗濯装置１０は、内部に収容空間を形成するキャビネット１１と、キャビネット１１の内部に収容されるタブ１２と、タブ１２の内部に回転可能に設けられるドラム１３と、タブ１２から生成された湿気を含んだ空気が凝縮できるように、タブ１２の外部に形成される凝縮ダクト１４と、凝縮ダクト１４の下流側に連結されて、ヒーター１６により空気を加熱してタブ１２の内部に提供する加熱ダクト１５と、タブ１２の空気が凝縮ダクト１４及び加熱ダクト１５に沿って循環するようにする送風ファン１７とを備えることができる。
【００２６】
上述したような乾燥兼用洗濯装置１０は、洗濯物の乾燥時に、送風ファン１７によって移動する空気が加熱ダクト１５に設けられたヒーター１６により加熱され、加熱空気はタブ１２の内側に供給されて、ドラム１３の回転及び熱風により洗濯物を乾燥させることができる。
【００２７】
洗濯物を乾燥させた加熱空気は、洗濯物の乾燥によって湿った空気に変換され、タブ１２から凝縮ダクト１４に流入して、凝縮ダクト１４で湿気が除去される。凝縮ダクト１４には、湿った空気を凝縮させるために別途の冷却水が供給されてもよい。凝縮ダクト１４に流入した空気は送風ファン１７によって再び加熱ダクト１５に供給され、上述した過程を繰り返して空気が循環するように設けられる。
【００２８】
凝縮ダクト１４の場合、送風ファン１７の送風容量及び空気の円滑な流動を考慮してパイプ状に設けられ、凝縮ダクト１４の内部面で湿った空気との熱交換を通じて湿った空気に含まれた湿気を凝縮させることで湿気を除去することができる。そのために、凝縮ダクト１４に流入する湿った空気から水分を凝縮するためには、洗濯物の乾燥が行われる過程中に持続的に冷却水を大量に供給しなければならない。
【００２９】
一方、洗濯物の乾燥時に使用者の選択とは関係なく持続的に冷却水を供給するようになっている。すなわち、使用者が冷却水の使用を望まない場合にも冷却水を使用せざるを得ず、使用者が望まない冷却水を使用せざるを得ない実情である。
【００３０】
既存の凝縮ダクト１４の場合、湿った空気との熱交換のための面積が比較的小さく形成されているため、相対的に多量の冷却水が長時間供給されなければならず、冷却水の浪費を招くことがあるという問題がある。
【００３１】
また、洗濯物の乾燥時に、洗濯物に含まれていたリントが空気と共に凝縮ダクト１４を介して流入し、凝縮ダクト１４、送風ファン１７、加熱ダクト１５などに残留することがある。これにより、凝縮ダクト１４に残留したリントは凝縮ダクトの効率を減少させることがあり、送風ファン１７に残留したリントは送風機の故障を誘発することがあり、加熱ダクト１５に残留したリントは加熱ダクト１５に設けられたヒーター１６の故障または火災を誘発することがあるという問題がある。
【００３２】
図２は、本発明に係る衣類処理装置の分解斜視図であり、図３は、図２に示した衣類処理装置を示す断面図である。
【００３３】
図２及び図３に示すように、本発明に係る衣類処理装置１００は、図示のように、外形をなすキャビネット１１０と、キャビネット１１０の内部に固定的に支持設置され、内部面を凝縮水の生成のための冷却面として使用するタブ１２０と、タブ１２０の内部に位置して回転可能に設置されるドラム１３０と、タブ１２０の後方を貫通してドラム１３０に連結される回転軸１３５と、回転軸１３５を支持するベアリングハウジング１４０と、ベアリングハウジング１４０に設けられて回転軸１３５に回転力を伝達する駆動モータ１４１と、ベアリングハウジング１４０に結合されて、ベアリングハウジング１４０に連結された構造物を支持すると同時に振動及び／又は衝撃を緩衝するサスペンション装置（ｄｅｖｉｃｅ）１５０と、タブ１２０の外側に固定設置されて、タブ１２０の内部に空気を加熱して供給する空気供給装置（ａｉｒ  ｓｕｐｐｌｙ  ｄｅｖｉｃｅ）１６０と、各構成部と連係して各構成部を制御して洗いコース、すすぎコース、脱水コース、乾燥コース及び各コースに含まれる行程を行うことができる制御部２２５とが備えられる。
【００３４】
キャビネット１１０は、各構成物が支持及び載置されるベース１１８と、洗濯物の投入のために開口部１１２が形成される前方パネル１１１とを備えることができ、追加的に左側パネル１１４、右側パネル１１５、後方パネル１１６及びトップパネル１１７を備える。ここで、前方パネル１１１の開口部１１２には、開口部１１２を閉鎖するためのドア１１３が設けられてもよい。
【００３５】
キャビネット１１０の内側上部には、外部の給水源からタブ１２０の内部に水を供給する給水部（ｗａｔｅｒ  ｓｕｐｐｌｙ  ｄｅｖｉｃｅ）１８０（図６参照）が設けられる。キャビネット１１０の内側下部には、洗い及びすすぎなどに使用された洗濯水を外部に排出できるように、排水ホースと排水ポンプからなる排水部（ｄｒａｉｎａｇｅ  ｄｅｖｉｃｅ）（図示せず）が設けられる。キャビネット１１０の前方パネル１１１には、使用者の操作に応じて制御部２１０と連係して衣類処理装置１００を制御するためのコントロールパネル２２０（図１０参照）を備えることができる。
【００３６】
タブ１２０は、前方部を構成するフロントタブ１２１と、後方部を構成するリアタブ１２２とを含む。フロントタブ１２１とリアタブ１２２は、ねじなどの結合体により組み立てることができ、内部にドラム１３０が収容される空間を形成する。
【００３７】
フロントタブ１２１には、前方側にドア１１３と連接して洗濯物を投入できるように開口された投入口１２３を形成することができる。投入口１２３の内周面には、タブ１２０の前方に突出するリーム部１２１ｂを形成することができる。リーム部１２１ｂには、後述する空気供給装置１６０の空気吐出口１６５を連結することができる。リーム部１２１ｂは、前方パネル１１１に形成された開口部１１２との気密を維持するための前方ガスケット１２４を備えることができ、前方ガスケット１２４は、タブ１２０とドラム１３０との間に異物が流入することを防止するための機能も行う。
【００３８】
リアタブ１２２は後面が貫通されるように形成することができる。リアタブ１２２の後面には、後面を閉鎖するためのタブバックウォール１２５、及び後方ガスケット１２６を備えることができる。後方ガスケット１２６は、タブバックウォール１２５及びリアタブ１２２とそれぞれシールされるように連結されて、タブ内の洗濯水が漏れないようにすることができる。
【００３９】
リアタブ１２２の外周面の一側には、リアタブ１２２の後面を利用して凝縮水を生成するための冷却水供給部（ｃｏｏｌｉｎｇ  ｗａｔｅｒ  ｓｕｐｐｌｙ  ｄｅｖｉｃｅ）２００（図９参照）を備えることができる。冷却水供給部２００から供給される冷却水によりリアタブ１２２の後面が凝縮面（図示せず）の役割を果たすことができる。
【００４０】
タブバックウォール１２５は、ドラム１３０の回転時にドラム１３０と共に振動する。このとき、リアタブ１２２と干渉しないように十分な間隔でリアタブ１２２と離隔することができる。後方ガスケット１２６は、タブバックウォール１２５とリアタブ１２２との間に位置する柔軟な材質からなっているので、タブバックウォール１２５がリアタブ１２２に干渉せずに相対運動することを許容する。後方ガスケット１２６は、タブバックウォール１２５のそのような相対運動を許容するために、十分な長さで延びることができるベローズ部を有することができる（図３参照）。
【００４１】
タブ１２０は、キャビネット１１０のベース１１８に設けられたサポーター１１８ａ、１１８ｂによって垂直上向きに支持されると同時に、別途の結合体（例えば、スクリューネジ、ボルトなど）により固定されてもよい。さらに、キャビネット１１０の前方パネル１１１及び後方パネル１１６または左側パネル１１４及び右側パネル１１５に図示していない結合体により固定されてもよい。
【００４２】
タブ１２０の後方上部には、タブ１２０の内面を凝縮水の生成のための冷却面として利用するために、タブ１２０の内面を冷却させるための冷却水を供給する冷却水供給部２００を備えることができる。ここで、冷却水供給部２００の場合、具体的には、リアタブ１２２の後方上部に形成されるが、以下では、説明の便宜のため、タブ１２０と呼ぶことにする。
【００４３】
空気供給装置１６０は、タブ１２０の上部に設けることができ、衣類処理装置１００の乾燥コース時にタブ１２０の内部の空気を循環及び加熱させる。すなわち、空気供給装置１６０は、タブ１２０の内部の空気を引き出した後、加熱して、再びタブ１２０に流入させるように構成することができる。
【００４４】
ドラム１３０は、フロントドラム１３１、センタードラム１３７、リアドラム１３２などで構成することができる。フロントドラム１３１及びリアドラム１３２の前方部及び後方部には、ドラムの回転時にドラム１３０の振動を抑制するためにバランシング作用をするウエイトバランサー１３４をそれぞれ設置することができる。センタードラム１３７の内側面には、洗濯物を移動させるためのリフト１３３を備えることができる。
【００４５】
リアドラム１３２はスパイダー１３６と連結することができ、スパイダー１３６は回転軸１３５と連結することができる。ドラム１３０は、回転軸１３５を介して伝達された回転力によりタブ１２０内で回転することができる。
【００４６】
回転軸１３５は、タブバックウォール１２５を貫通して駆動モータ１４１と直結式に連結されてもよい。具体的には、駆動モータ１４１のローターと回転軸１３５が直結してもよい。タブバックウォール１２５の後面にはベアリングハウジング１４０を結合することができる。
【００４７】
図４及び図５に示すように、サスペンション装置１５０は、回転軸１３５を支持するベアリングハウジング１４０と、ベアリングハウジング１４０の第１、２延長部１４２、１４４にそれぞれ連結される第１、２ウエイト１４３、１４５と、第１、２ウエイト１４３、１４５に連結される第１、２サスペンションブラケット１５１、１５４と、第１、２サスペンションブラケット１５１、１５４及びベアリングハウジング１４０に連結されてベアリングハウジング１４０を弾力的に支持する第１、２、３スプリングダンパー１５２、１５５、１５７、第１、２ダンパー１５３、１５６とを備えることができる。
【００４８】
ベアリングハウジング１４０は、駆動モータ１４１とタブバックウォール１２５との間で回転軸１３５を回転可能に支持することができる。ベアリングハウジング１４０は、第１、２、３スプリングダンパー１５２、１５５、１５７、第１、２ダンパー１５３、１５６により弾力的に支持されてもよい。
【００４９】
ベアリングハウジング１４０の一面には、タブ１２０の後面に位置したタブバックウォール１２５が結合されてもよい。ベアリングハウジング１４０の内側にドラム１３０に結合された回転軸１３５が貫通することができる。ベアリングハウジング１４０は、回転軸１３５が円滑に回転するようにベアリングが備えられ、回転軸１３５はベアリングにより支持され得る。ベアリングハウジング１４０の他面には、回転軸１３５を回転させる駆動モータ１４１が締結されてもよい。
【００５０】
ベアリングハウジング１４０の左右両側の半径方向に第１延長部１４２及び第２延長部１４４が対称に形成される。第１延長部１４２及び第２延長部１４４にはそれぞれサスペンション装置１５０が締結され、ベアリングハウジング１４０は、サスペンション装置１５０を介して弾力的に支持される。
【００５１】
第１、２ウエイト１４３、１４５は、ドラム１３０に洗濯物が収容される場合に重心を取る役割を果たし、また、ドラム１３０が振動するその振動系においてマス（Ｍａｓｓ）の役割を果たしたりする。このような第１、２ウエイト１４３、１４５は、ベアリングハウジング１４０の第１、２延長部１４２、１４４にそれぞれ連結することができる。
【００５２】
第１、２サスペンションブラケット１５１、１５４は、第１、２ウエイト１４３、１４５の端部にそれぞれ連結され、タブ１２０の両側下部からタブ１２０の前方にそれぞれ延びることができる。第１、２サスペンションブラケット１５１、１５４は、第１、２、３スプリングダンパー１５２、１５５、１５７、第１、２ダンパー１５３、１５６により支持することができる。
【００５３】
第１スプリングダンパー１５２は、第１サスペンションブラケット１５１とベース１１８との間に連結することができる。第２スプリングダンパー１５５は、第２サスペンションブラケット１５４とベース１１８との間に連結することができる。第３スプリングダンパー１５７は、ベアリングハウジング１４０とベース１１８との間に直接連結することができる。各スプリングダンパー１５２、１５５、１５７によって後方に１箇所、前方左右に２箇所で緩衝支持される形態である。
【００５４】
第１ダンパー１５３は、第１サスペンションブラケット１５１とベース１１８の後方部との間で傾斜して設置することができ、第２ダンパー１５６は、第２サスペンションブラケット１５４とベースの後方部との間で傾斜して設置することができる。
【００５５】
第１、２ウエイト１４３、１４５、第１、２サスペンションブラケット１５１、１５４、第１、２スプリングダンパー１５２、１５５、及び第１、２ダンパー１５３、１５６は、ドラム１３０の回転軸を中心に左右対称に形成することができ、各ダンパーは、ベース１１８に別途のゴムブッシングを媒介として連結して、所定の角度でチルト可能に結合することができる。ドラム１３０及びベアリングハウジング１４０は、第１、２サスペンションブラケット１５１、１５４、第１、２、３スプリングダンパー１５２、１５５、１５７によってタブ１２０内で浮揚する形態で弾性支持することができる。
【００５６】
駆動モータ１４１は、ベアリングハウジング１４０の後面に締結され、回転軸１３５に直結してもよい。駆動モータ１４１は、制御部によって速度が制御されるように設けられる。
【００５７】
空気供給装置１６０は、タブ１２０の外周面の側面に形成される空気回収口１６１と、空気回収口１６１を介して空気を回収及び移動させるための送風ファン１６３と、送風ファン１６３によって移動する空気を加熱する加熱ダクト１６４と、加熱ダクト１６４で加熱された空気をタブ１２０に案内する空気吐出口１６５とを備えることができる。
【００５８】
空気回収口１６１は、タブ１２０の外周面の側面に延びて形成されてもよい。空気回収口１６１の内側面には、タブ１２０の外周面に沿って、洗濯物の乾燥時に発生するリントをフィルタリングするためのリントフィルタ１６２を設けることができる。
【００５９】
空気回収口１６１の内側には、後述するフィルタ洗浄部（ｆｉｌｔｅｒ  ｃｌｅａｎｉｎｇ  ｄｅｖｉｃｅ）１９０が設けられる（図７参照）。フィルタ洗浄部１９０は、リントフィルタ１６２によってフィルタリングされたリントをタブの内側に分離／除去するためのものである。
【００６０】
送風ファン１６３は空気回収口１６１の上側に設けることができる。送風ファン１６３の作動によってタブ１２０の内部の空気が空気回収口１６１側に流入し、加熱ダクト１６４側に移動する。
【００６１】
加熱ダクト１６４は、送風ファン１６３によって移動する空気を加熱して熱風を生成することができる。加熱ダクト１６４の内部には、移動する空気を加熱するためのヒーターが備えられる。加熱ダクト１６４で加熱された空気は、空気吐出口１６５によってタブ１２０の内部に供給されて洗濯物を乾燥することができる。
【００６２】
衣類処理装置１００の場合、洗い及びすすぎを行うための洗濯水、リントフィルタ１６２を洗浄するための洗浄水、凝縮水の生成のためにタブ１２０を冷却させる冷却水の供給が必要である。
【００６３】
すなわち、洗い及びすすぎのための給水部１８０、リントフィルタを洗浄するためのフィルタ洗浄部１９０、タブ１２０を冷却させるための冷却水供給部２００にそれぞれ別々の水を供給するための構造が必要である。
【００６４】
図６に示すように、衣類処理装置１００の内側上部には、各構成部（例えば、給水部１８０、フィルタ洗浄部１９０、冷却水供給部２００など）へ外部の給水源から供給される水をそれぞれ選択的または同時に供給するためのバルブ部１７０を備えることができる。
【００６５】
ここで、バルブ部（ｖａｌｖｅ  ａｓｓｅｍｂｌｙ）１７０は、水が供給されなければならない各構成部に対応する複数のバルブで構成することができる。すなわち、バルブ部１７０は、給水部１８０への洗濯水（又は、すすぎ水）の供給を制御する給水バルブ１７２と、フィルタ洗浄部１９０への洗浄水の供給を制御する洗浄水バルブ１７４と、凝縮水の生成のためにタブ１２０の内面に供給される冷却水を制御する冷却水バルブ１７６とを備える。一方、バルブ部１７０の場合、水を利用する追加的な他の構成（例えば、スチーム発生器など）がある場合、別途のバルブをさらに備えることができる。
【００６６】
給水部１８０は、給水バルブ１７２から洗濯水の供給を受ける給水ライン１８２と、給水ライン１８２上に設けられ、給水ライン１８２を介して供給される水が洗剤と共にタブ１２０の内部に投入されるように洗剤が投入される洗剤供給装置１８４とを備える。ここで、洗剤供給装置１８４を通過した洗濯水は、別途のホースを介してタブ１２０の前方からタブ１２０の内部に供給することができる。
【００６７】
フィルタ洗浄部１９０は、洗浄水バルブ１７４から洗浄水の供給を受ける洗浄水ライン１９２と、空気回収口１６１を貫通して空気回収口１６１の内側に固定されると同時に、空気回収口１６１の外側で洗浄水ライン１９２に連結される噴射ノズル１９４とを備えることができる（図７参照）。
【００６８】
噴射ノズル１９４は、空気回収口１６１の内側に固定されると同時に、洗浄水ライン１９２が連結される締結部１９５と、締結部１９５に結合され、洗浄水を噴射するための多数のノズルが一定に配置されてリントフィルタ１６２のほぼ全面に洗浄水を噴射する拡散部１９６とを備えることができる。締結部１９５と拡散部１９６には連通する中空が形成されてもよい。このような噴射ノズル１９４の内／外部の構造は様々な実施が可能であるので、詳細な説明は省略する。
【００６９】
冷却水供給部２００は、タブ１２０の内周面を冷却面として利用してタブ１２０の内周面で凝縮水を生成させることで、洗濯物を乾燥させた湿った空気の湿気を除去するためのものである。そのために、冷却水供給部２００は、冷却水バルブ１７６から冷却水の供給を受ける冷却水ライン２１０と、タブ１２０の後方上側に位置し、タブ１２０の内側後面に冷却水を噴射する冷却水ノズル２２０とを備える。
【００７０】
図８及び図９に示すように、冷却水供給部２００の冷却水ノズル２２０は、タブ１２０の後方側上部に備えることができる。冷却水ノズル２２０は、空気回収口１６１に対して回転軸１３５を中心に対向する方向に形成することができ、例えば、回転軸１３５を基準とする垂直面に対して約２０°〜４０°の角度範囲に位置する。冷却水ノズル２２０の位置は、冷却水ノズル２２０から噴射される冷却水がタブ１２０の後面に沿って円滑に流れるようにすることができる。
【００７１】
すなわち、冷却水ノズル２２０がタブ１２０の中央上部に位置する場合、冷却水ノズル２２０から噴射される冷却水がタブ１２０の後面に結合された後方ガスケット１２６及びタブバックウォール１２５に沿って垂直方向に流れることになる。このような場合、冷却水が流れる面積が小さく、タブ１２０の後面を冷却させる時間が短いため、冷却効果が低下する。
【００７２】
冷却水ノズル２２０がタブ１２０の最外側に位置する場合、冷却水ノズル２２０から噴射される冷却水が流れる面積が小さく、タブ１２０の後面を冷却させる時間が短いため、タブ１２０の冷却効果が低下する。
【００７３】
しかし、上述したように、空気回収口１６１に対向する方向において垂直面に対して約２０°〜４０°の位置に備える場合、冷却水ノズル２２０から噴射される冷却水がタブ１２０の後面に沿って比較的長時間流れることになり、広い面積で流れながらタブ１２０を冷却させるので、冷却効率を増加させることができる。
【００７４】
すなわち、タブ１２０の内部面を利用した凝縮水の生成は、既存の凝縮ダクトを利用した凝縮水の生成構造よりも広い面積を利用して凝縮水を生成することができるので、凝縮水の生成効率を向上させることができる。
【００７５】
冷却水供給部２００の冷却水ノズル２２０は、冷却水ライン２１０から供給される冷却水をタブ１２０の後面に広く噴射しなければならない。冷却水ノズル２２０は、中空が形成されるボディーを有することができ、上部には、冷却水ライン２１０が連結される連結端２２２を形成することができ、下部には、タブ１２０の内側に位置するノズル端２２６を形成することができる。連結端２２２とノズル端２２６との間には、冷却水ノズル２２０をタブ１２０に設置するための係止端２２４を形成することができる。ノズル端２２６の下部には、供給される冷却水がタブ１２０の後面側に反射されて拡散するようにする反射板２２８をさらに備える。
【００７６】
本発明に係る衣類処理装置１００の場合、乾燥コースの実行時に冷却水を使用しない乾燥コース、冷却水を使用する乾燥コースを選択して行うことができる。そのために、使用者が乾燥コースを選択できるようにしたコントロールパネル２２０を備える。
【００７７】
図１０に示すように、コントロールパネルは、キャビネット１１０の前方パネル１１１の上部に位置するか、または他の位置に位置してもよい。例えば、コントロールパネルは、キャビネット１１０のトップパネル、またはキャビネット１１０の他のパネルの一側に形成されてもよい。
【００７８】
図１０に示すように、コントロールパネル２２０は、ドア１１３に隣接して設けることができ、衣類処理装置１００の作動を制御する操作部２２２と、衣類処理装置１００の作動状態をディスプレイする表示部２２８とを備えることができる。ここで、操作部２２２と表示部２２８は、上述した制御部２１５と連係して衣類処理装置１００の作動を制御する。
【００７９】
操作部２２２は、多数のボタン２２４及びロータリーノブ２２６を含むことができ、衣類処理装置を作動させるための入力手段であって、使用者の所望の時間及びコースを入力及び選択することができる。例えば、洗濯時間、予約設定、洗い、すすぎ、脱水及び乾燥コース、エコモードを選択するとき、使用者がボタン２２４又はロータリーノブ２２６を操作して、使用者の所望の時間及びコースを入力及び選択することができる。
【００８０】
制御部２２５は、操作部２２２を介して入力される情報に応じて衣類処理装置１００を制御することで、設定された時間に洗いコース、すすぎコース、脱水コース及び乾燥コースを選択的に行うことができる。
【００８１】
操作部２２２は、乾燥コースの選択時に冷却水を使用しない乾燥コース（以下、「エコモード」と称する。）を選択するための選択手段を備えることができる。エコモードを選択するための選択手段は、上述したロータリーノブ２２６又は別途のボタン２２４を通じて具現することができる。このようなエコモードの選択手段を様々な実施例に変形可能である。
【００８２】
表示部２２８は、操作部２２２によって設定された衣類処理装置１００の情報を表示することができ、連続的に配列される多数のＬＥＤｓとＬＣＤからなり、ＬＥＤｓの点滅及びＬＣＤに文字や記号を通じて洗濯進行状態及び残留時間などの各種洗濯情報を使用者に表示することができる。好ましくは、使用者の操作部の操作によってエコモードが選択される場合、エコモードが実行されたことを表示するようにする。
【００８３】
以下、上述したような本発明の衣類処理装置のエコモードの作動について説明する。ここで、エコモードは、衣類処理装置１００の乾燥過程時に作動されるものである。したがって、衣類処理装置１００の洗いコース、すすぎコース、脱水コースなどの説明は省略し、本発明と関連する乾燥コースについてのみ説明する。一方、以下で言及されるそれぞれの要素は、上述した説明と図面を参照して理解しなければならない。
【００８４】
図１１は、本発明に係る衣類処理装置の乾燥コースの進行を示すフローチャートである。
【００８５】
ここで、使用者によって選択されるエコモードの場合、既存の洗濯過程（洗いコース、すすぎコース、脱水コース、乾燥コース）において乾燥コースのみエコモードを追加して行うか、または他の洗いコースの進行なしに乾燥コースのみ単独で行うとき、エコモードによって乾燥コースを行うことができる。
【００８６】
既存の洗濯過程の場合、既存の洗濯過程と同一に行われるので詳細な説明は省略し、エコモードが選択された場合の乾燥コースについて詳細に説明する。
【００８７】
使用者は、洗濯過程の実行前にエコモードを選択して洗濯過程を進行することができる。ここで、使用者によるエコモードの選択は、コントロールパネルの操作部に設けられたボタン２２４又はロータリーノブ２２６によって選択することができる。また、制御部は、使用者によってエコモードが選択されると、表示部を通じてエコモードが選択されたことを表示する。
【００８８】
その後、制御部２１０は、使用者が選択した洗濯過程に従って洗濯過程を行い、乾燥コースを行う前にエコモードが選択されたか否かを判別する（ステップＳ１１０）。
【００８９】
ここで、制御部２２５は、使用者によってエコモードが選択されなかった場合、既設定の乾燥コースを行う（Ｓ１２０）。
【００９０】
乾燥コースの選択によって、まず、乾燥コースが行われることによって、空気供給装置１６０の送風ファン１６３が作動し、送風ファン１６３の作動によってタブ１２０の内部の空気が空気回収口１６１を介して吸入され、送風ファン１６３によって加熱ダクト１６４側に移動する。これによって、加熱ダクト１６４に移動する空気は、加熱ダクト１６４に設けられたヒーターにより加熱され、空気吐出口１６５を介してタブ１２０の内部に供給される。
【００９１】
タブ１２０の内部に供給される空気は、タブ１２０（具体的には、ドラム１３０）の内部にある洗濯物を乾燥させる。洗濯物を乾燥させた空気は、洗濯物から蒸発された湿気によって湿った空気に変化し、再び空気回収口１６１を介して流入して循環する。
【００９２】
乾燥過程で洗濯物から発生したリントは、空気回収口１６１のリントフィルタ１６２によってフィルタリングされ、フィルタリングされたリントは、乾燥過程中又は洗い／すすぎ過程中にフィルタ洗浄部１９０の作動によりリントフィルタ１６２から分離されてタブ１２０の内部に流入し、タブ１２０の排水部によって衣類処理装置１００の外部に排出される。
【００９３】
また、上述した過程が行われながら洗濯物から発生した湿気は空気と共に循環する。これによって、冷却水供給部２００を通じた湿気の除去が行われる。まず、冷却水バルブ１７６の制御によって冷却水が供給されると、冷却水が冷却水ライン２１０に沿って移動して冷却水ノズル２２０によってタブ１２０の後面に噴射される。タブ１２０の後面に噴射された冷却水は、タブ１２０の後面に沿って流れながらタブ１２０の内周面を冷却させることになる。これによって、湿った空気はタブ１２０の表面と熱交換をしながら、湿った空気に含まれた湿気がタブ１２０の後面で凝結することで凝縮水が生成される。
【００９４】
冷却水供給部２００によって供給される冷却水は、タブ１２０の後面を冷却した後、タブ１２０の排水部を介して衣類処理装置１００の外部に排出される。ここで、冷却水供給部２００によって供給される冷却水の供給時間及び供給間隔は、排水部によって排水される時間及び間隔よりも短く形成される。
【００９５】
このような場合にも、従来技術に係る凝縮ダクトを用いる場合よりも相対的に凝縮量が多くなる。すなわち、従来技術における凝縮ダクトの場合、タブ１２０の内周面よりも相対的に小さい面積で凝縮を誘導する。しかし、本発明の場合のようにタブ１２０の内周面で凝縮を誘導する場合、凝縮のための冷却面が凝縮ダクトよりも相対的に増加する。したがって、凝縮ダクトを用いる従来技術に比べて相対的に多い凝縮面を形成しているので、凝縮効率を増加させることができる。さらに、タブ１２０の後面に冷却水を供給することによって、冷却水を供給しないときよりさらに冷却効率を増加させることができる。
【００９６】
一方、制御部２１０は、使用者によってエコモードが選択された場合、既設定の乾燥コースの実行条件（例えば、乾燥時間、熱風温度、ドラム回転速度など）を変更することができる（Ｓ１３０）。
【００９７】
すなわち、エコモードの場合、上述した乾燥コースにおいて冷却水を供給しない状態で乾燥コースを行うものである。そのため、既存の乾燥コースの実行時に冷却水を供給することに比べて、凝縮水の生成が低下する。したがって、洗濯物の乾燥のためには、乾燥コースの実行時間を増加させたり、熱風の供給温度又は時間を増加させたり、ドラムの回転速度及び回転数を増加させたりする必要がある。
【００９８】
その後、制御部２１０は、条件が変更された状態で、凝縮水の生成のための冷却水を供給せずに乾燥コースを行うことができる（Ｓ１４０）。エコモードによる乾燥コースの実行を説明すると、下記の通りである。
【００９９】
まず、乾燥コースが行われることによって空気供給装置１６０の送風ファン１６３が作動し、送風ファン１６３の作動によってタブ１２０の内部の空気が空気回収口１６１を介して吸入され、送風ファン１６３によって加熱ダクト１６４側に移動する。これによって、加熱ダクト１６４に移動する空気は、加熱ダクト１６４に設けられたヒーターにより加熱され、空気吐出口１６５を介してタブ１２０の内部に供給される。
【０１００】
タブ１２０の内部に供給される空気は、タブ１２０（具体的には、ドラム１３０）の内部にある洗濯物を乾燥させる。洗濯物を乾燥させた空気は、洗濯物から蒸発された湿気によって湿った空気に変化し、再び空気回収口１６１を介して流入して循環する。
【０１０１】
乾燥過程で洗濯物から発生したリントは、空気回収口１６１のリントフィルタ１６２によってフィルタリングされ、フィルタリングされたリントは、乾燥過程中又は洗い／すすぎ過程中にフィルタ洗浄部１９０の作動によりリントフィルタ１６２から分離されてタブ１２０の内部に流入し、タブ１２０の排水部によって衣類処理装置１００の外部に排出される。
【０１０２】
タブ１２０の内部には高い温度の湿った空気が滞留し、タブ１２０の外部にはタブ１２０の内部よりも相対的に低い温度の空気が滞留することになる。したがって、上述した冷却水供給部２００から洗浄水が供給されなくても、タブ１２０の内部と外部との温度差によってタブ１２０の内周面で凝縮が起こる。すなわち、タブ１２０の表面と熱交換をしながら、湿った空気に含まれた湿気がタブ１２０の後面で凝結して凝縮水が生成される。
【０１０３】
本明細書において、「一実施例」、「実施例」、「例示的な実施例」などは、実施例と結合して説明する特定の特徴、構造又は特性が本発明の少なくとも一つの実施例に含まれることを意味する。明細書内の様々な箇所でのこのような句の出現は、必ずしも同じ実施例を参照するものではない。また、特定の特徴、構造又は特性を任意の実施例と関連して説明するとき、当業者の権限内でこのような特徴、構造又は特徴が他の実施例と結合して発揮されてもよい。
【０１０４】
多数の例示的な実施例を参照して実施例を説明したが、本開示物の思想及び範囲内にある数多くの他の変形及び実施例が当業者によって考案されてもよい。特に、開示物、図面及び添付の特許請求の範囲の範囲内でコンポーネントパート及び／又は対象の組み合わせの配置において、様々な変形及び変更が可能である。コンポーネントパート及び／又は配置の様々な変形及び変更に加えて、他の使用がまた当業者にとって自明である。
【実施例】
【０１０５】
様々な実施例が本発明を行う最善のモードで記載される。
【産業上の利用可能性】
【０１０６】
本発明に係る衣類処理装置及びその制御方法によれば、乾燥コースの間に使用者の要請に応じて凝縮水を生成する冷却水の使用を選択して、使用者が望まない冷却水の使用を制御することによって、冷却水の不必要な使用を防止することができる。
【０１０７】
また、本発明に係る衣類処理装置及びその制御方法によれば、乾燥に使用される熱風から湿気を除去する凝縮構造を改善して、凝縮効率を改善させることができる。
【０１０８】
また、本発明に係る衣類処理装置及びその制御方法によれば、衣類処理装置は、空気からリントをフィルタリングするリントフィルタ及びリントフィルタを洗浄するフィルタ洗浄部を含むことで、リントによる衣類処理装置の誤作動を防止することができる。
【０１０９】
結果的に、本発明は、衣類処理装置に関する分野での産業的応用性を有する。
【０１１０】
本発明の思想又は範囲を逸脱せずに様々な変形及び変更が可能であることは当業者に自明である。したがって、本発明は、添付された特許請求の範囲及びその同等物内の本発明の変形及び変更を含むものと意図される。
【図１】
2015515879.tif 000003
【図２】
2015515879.tif 000004
【図３】
2015515879.tif 000005
【図４】
2015515879.tif 000006
【図５】
2015515879.tif 000007
【図６】
2015515879.tif 000008
【図７】
2015515879.tif 000009
【図８】
2015515879.tif 000010
【図９】
2015515879.tif 000011
【図１０】
2015515879.tif 000012
【図１１】
2015515879.tif 000013
【国際調査報告】
2015515879.tif 000014
2015515879.tif 000015